(57)【要約】【課題】器具本体の薄型化及び小型化を図りつつ、器具本体の存在感による重たい印象を軽減し、かつ、シーリングライトとして所望の明るさ及び所望の配光の照明光を得ることができる照明器具等を提供する。【解決手段】造営材の設置面に設置される照明器具１００であって、照明器具１００と別置された点灯装置２００から供給される電力によって発光する光源１１０と、光源１１０を収納する器具本体１２０とを備え、器具本体１２０は、前記設置面に直付けされる取付基台１２１と、光源１１０を覆う透光カバー１２２とを有し、器具本体１２０の高さをｈとし、器具本体１２０の外径をｄとすると、４≦ｄ／ｈ≦９の関係式を満たす。【選択図】図４
2019091568.tif 000002
【特許請求の範囲】
【請求項１】
造営材の設置面に設置される照明器具であって、
当該照明器具と別置された点灯装置から供給される電力によって発光する光源と、
前記光源を収納する器具本体とを備え、
前記器具本体は、前記設置面に直付けされる取付基台と、前記光源を覆う透光カバーとを有し、
前記器具本体の高さをｈとし、前記器具本体の外径をｄとすると、４≦ｄ／ｈ≦９の関係式を満たす、
照明器具。
【請求項２】
前記器具本体の高さは、１５ｍｍ以下である、
請求項１に記載の照明器具。
【請求項３】
さらに、前記器具本体に収納され、前記光源が発する光を反射する反射板を備え、
前記反射板は、前記光源が載置される載置部と、前記載置部を囲み且つ前記載置部に対して傾斜する傾斜部とを有する、
請求項１又は２に記載の照明器具。
【請求項４】
前記反射板と前記透光カバーとの距離は、１０ｍｍ以下である、
請求項３に記載の照明器具。
【請求項５】
前記反射板の厚さは、２ｍｍ以下であり、
前記取付基台の厚さは、１ｍｍ以下であり、
前記透光カバーの厚さは、２ｍｍ以下である、
請求項３又は４に記載の照明器具。
【請求項６】
さらに、前記光源から発する光を導光する導光板を備え、
前記導光板は、前記透光カバーに対向している、
請求項１又は２に記載の照明器具。
【請求項７】
前記光源は、複数の発光素子を有し、
前記複数の発光素子は、前記透光カバーの全体にわたって分布するように、前記透光カバーに対向して配置されている、
請求項１又は２に記載の照明器具。
【請求項８】
前記光源と前記点灯装置とは、第１ソケット及び第２ソケットが連結されることで電気的に接続されている、
請求項１〜７のいずれか１項に記載の照明器具。
【請求項９】
前記第１ソケットは、前記光源から引き出された直流用の第１電線に設けられている、
請求項８に記載の照明器具。
【請求項１０】
前記造営材には、前記第１電線が挿通する貫通孔が設けられており、
前記第１電線は、フラットケーブルである、
請求項９に記載の照明器具。
【請求項１１】
前記第２ソケットは、前記点灯装置から引き出された直流用の第２電線に設けられている、
請求項９又は１０に記載の照明器具。
【請求項１２】
請求項１〜１１のいずれか１項に記載の照明器具と、
前記照明器具の前記光源に電力を供給する前記点灯装置とを備え、
前記点灯装置は、前記照明器具と別置されている、
照明装置。
【請求項１３】
前記点灯装置は、位相制御式の調光制御機能を有する、
請求項１２に記載の照明装置。
【請求項１４】
前記点灯装置は、前記照明器具の発光状態を制御するための電波式無線通信機能を有する、
請求項１２又は１３に記載の照明装置。
【請求項１５】
前記点灯装置は、前記照明器具の発光状態を制御する壁スイッチの近傍に設置されている、
請求項１２〜１４のいずれか１項に記載の照明装置。
【請求項１６】
前記照明器具及び前記点灯装置は、複数ずつ配置され、
前記複数の照明器具と前記複数の点灯装置とは、一対一に対応しており、
前記複数の照明器具の各々と前記複数の点灯装置の各々とは、電線によって接続されている、
請求項１２〜１５のいずれか１項に記載の照明装置。
【発明の詳細な説明】
【技術分野】
【０００１】
本発明は、照明器具及び照明装置に関し、特に、天井に直付けされる天井直付け型の照明器具及びこの照明器具を備える照明装置に関する。
【背景技術】
【０００２】
従来、天井に設置される照明器具として、天井埋め込み型のダウンライトが知られている。天井埋め込み型のダウンライトは、光源が取り付けられた器具本体を天井の開口孔に埋め込むことで天井に設置される。
【０００３】
しかしながら、天井埋め込み型のダウンライトを天井に設置する場合、天井に大きな開口孔を設ける必要があるため、開口孔の孔あけ作業及び開口孔の補強作業等が必要となり、施工に手間がかかる。また、天井に大きな開口孔を設けることで気密性も低下する。
【０００４】
そこで、天井に大きな開口孔を設ける必要がない照明器具として、天井直付け型のダウンシーリングライトが提案されている（特許文献１）。
【０００５】
従来の天井直付け型のダウンシーリングライトは、例えば、天井面に直付けされる器具本体と、器具本体に収納された光源と、商用の交流電力を受電して光源を発光させるための電力を生成する点灯装置とを備える。
【先行技術文献】
【特許文献】
【０００６】
【特許文献１】特開２０１５−０３２４２８号公報
【発明の概要】
【発明が解決しようとする課題】
【０００７】
天井埋め込み型のダウンライトは、器具本体が天井に埋め込まれているので、存在感があまり感じられない。一方、天井直付け型のダウンシーリングライトは、器具本体が天井に埋め込まれておらず、器具本体の前面部及び側面部がユーザから見える状態で器具本体が天井面に設置される。このため、天井直付け型のダウンシーリングライトは、天井埋め込み型のダウンライトと比べて、ユーザに存在感を感じさせてしまう。
【０００８】
特に、従来の天井直付け型のダウンシーリングライトについては、厚みが厚いので見栄えが悪く、ユーザに重たい印象を与える。
【０００９】
また、器具本体の小型化及び薄型化だけを考えて器具本体を無闇に小さくしたり薄くしたりすると、シーリングライトとして所望の明るさ及び所望の配光を有する照明光を得ることができなくなる。
【００１０】
本発明は、このような課題を解決するためになされたものであり、器具本体の薄型化を図りつつ、器具本体の存在感による重たい印象を軽減し、かつ、シーリングライトとして所望の明るさ及び所望の配光を有する照明光を得ることができる照明器具及び照明装置を提供することを目的とする。
【課題を解決するための手段】
【００１１】
上記目的を達成するために、本発明に係る照明器具の一態様は、造営材の設置面に設置される照明器具であって、当該照明器具と別置された点灯装置から供給される電力によって発光する光源と、前記光源を収納する器具本体とを備え、前記器具本体は、前記設置面に直付けされる取付基台と、前記光源を覆う透光カバーとを有し、前記器具本体の高さをｈとし、前記器具本体の外径をｄとすると、４≦ｄ／ｈ≦９の関係式を満たす。
【００１２】
また、本発明に係る照明装置の一態様は、上記の照明器具と、前記照明器具の前記光源に電力を供給する前記点灯装置とを備え、前記点灯装置は、前記照明器具と別置されている。
【発明の効果】
【００１３】
器具本体の薄型化を図りつつ、器具本体の存在感による重たい印象を軽減し、かつ、シーリングライトとして所望の明るさ及び所望の配光を有する照明光を得ることができる照明器具及び照明装置を実現できる。
【図面の簡単な説明】
【００１４】
【図１】実施の形態１に係る照明装置を模式的に示す図である。
【図２】実施の形態１に係る照明装置に用いられる照明器具の斜視図である。
【図３】実施の形態１に係る照明装置に用いられる照明器具の分解図である。
【図４】実施の形態１に係る照明装置に用いられる照明器具の断面図である。
【図５】実施の形態１に係る照明装置の照明器具に用いられる光源の変形例を示す図である。
【図６】複数の照明器具を設置する場合の照明装置の構成を模式的に示す図である。
【図７】複数の点灯装置を電気的に接続する一例を示す図である。
【図８】従来の照明器具を天井に複数設置する場合の照明装置の構成を模式的に示す図である。
【図９】実施の形態１の変形例１に係る照明装置に用いられる照明器具の断面図である。
【図１０】実施の形態１の変形例２に係る照明装置に用いられる照明器具の断面図である。
【図１１】実施の形態２に係る照明装置に用いられる照明器具の断面図である。
【図１２】実施の形態２の変形例に係る照明装置に用いられる照明器具の断面図である。
【図１３】実施の形態３に係る照明装置に用いられる照明器具の断面図である。
【図１４】実施の形態３に係る照明装置の照明器具に用いられる光源の平面図である。
【図１５】実施の形態３に係る照明装置の照明器具に用いられる光源の変形例を示す図である。
【発明を実施するための形態】
【００１５】
以下、本発明の実施の形態について、図面を参照しながら説明する。なお、以下で説明する実施の形態は、いずれも本発明の好ましい一具体例を示すものである。したがって、以下の実施の形態で示される、数値、形状、材料、構成要素、構成要素の配置位置及び接続形態、並びに、ステップ（工程）及びステップの順序などは、一例であって本発明を限定する主旨ではない。よって、以下の実施の形態における構成要素のうち、本発明の最上位概念を示す独立請求項に記載されていない構成要素については、任意の構成要素として説明される。
【００１６】
各図は、模式図であり、必ずしも厳密に図示されたものではない。各図において、実質的に同一の構成に対しては同一の符号を付しており、重複する説明は省略又は簡略化される場合がある。
【００１７】
（実施の形態１）
まず、実施の形態１に係る照明装置１の全体構成について、図１を用いて説明する。図１は、実施の形態１に係る照明装置１を模式的に示す図である。
【００１８】
図１に示すように、照明装置１は、照明器具１００と、照明器具１００の光源１１０に電力を供給する点灯装置２００とを備える。照明器具１００と点灯装置２００とは、構造上分離されており、異なる箇所に設置される。
【００１９】
照明器具１００は、照明装置１における灯具である。具体的には、照明器具１００は、住宅や店舗等の建物の天井２に設置されたシーリングライトであり、下方に向けて照明光を照射する。本実施の形態において、照明器具１００は、天井２の天井面２ａに直付けされた天井直付け型のダウンシーリングライトである。したがって、照明器具１００は、天井２に大きな開口孔を設ける必要がある天井埋め込み型のダウンライトとは異なり、天井２に大きな開口孔を設けることなく天井２に設置することができる。具体的には、天井２には、電線を通すためだけの小径の貫通孔２ｂが設けられている。これにより、天井２と照明器具１００との間の気密性を確保することができる。
【００２０】
このように照明器具１００は、気密性を確保した状態で天井２に設置することができるので、建物の居室に設置するだけではなく、玄関軒下、玄関ホール、トイレ、洗面室、浴室、ランドリー室又はマンションの外廊下等の比較的に湿気が多い空間の天井に設置することができる。なお、照明器具１００は、天井２に設置される場合に限らず、天井２以外の造営材に設置されていてもよい。例えば、照明器具１００は、壁等の構造物の設置面（例えば壁面）に設置されていてもよい。
【００２１】
本実施の形態において、照明器具１００は、扁平で薄型のダウンシーリングライトである。一例として、照明器具１００の高さは１５ｍｍ以下であり、照明器具１００の高さに対する外径の比（外径／高さ）は４以上である。なお、照明器具１００の詳細な構成については、後述する。
【００２２】
点灯装置２００は、照明器具１００の光源１１０を駆動する駆動装置である。点灯装置２００によって光源１１０が駆動されることで、光源１１０の発光状態が制御される。
【００２３】
具体的には、点灯装置２００は、照明器具１００の光源１１０を発光させるための電力を生成する電源機能を有する。例えば、点灯装置２００は、筐体と、筐体内に配置された電源端子台及び電源回路とを有する。電源端子台は、商用電源３からの交流電力を受電する。電源回路は、回路基板と、回路基板に実装された複数の電子部品とによって構成されており、電源端子台で受電した交流電力を直流電力に変換する。
【００２４】
点灯装置２００と商用電源３とは、ＶＶＦケーブル等の電源ケーブル４００によって接続されている。したがって、電源ケーブル４００には、例えばＡＣ１００Ｖの交流電力が流れる。電源ケーブル４００は、点灯装置２００の電源端子台に接続されている。点灯装置２００で生成された直流電力は、照明器具１００の光源１１０に供給される。これにより、光源１１０が発光し、照明器具１００から照明光が照射される。このように、点灯装置２００から供給される直流電力の有無に応じて、照明器具１００（光源１１０）が点灯したり消灯したりする。つまり、点灯装置２００は、照明器具１００の発光状態の制御の一つとして、照明器具１００の点灯状態（ＯＮ）と消灯状態（ＯＦＦ）との切り替え制御を行うことができる。
【００２５】
また、本実施の形態において、点灯装置２００は、照明器具１００（光源１１０）の点消灯の切り替え制御を行うだけではなく、照明器具１００（光源１１０）の明るさを制御する調光制御も行ってもよい。つまり、点灯装置２００は、照明器具１００の発光状態の制御の一つとして、照明器具１００の調光制御を行ってもよい。具体的には、点灯装置２００は、位相制御式の調光制御機能を有している。この場合、点灯装置２００には調光制御回路が設けられており、例えば、トライアック等によって交流電力波形の一部を所定のタイミングで切断することで明るさを調整することができる。
【００２６】
なお、点灯装置２００は、調光制御を行う機能を有するだけではなく、光源１１０が調色制御に対応している場合には、調色制御を行う機能も有していてもよい。これにより、光源１１０の調色制御を行うことができる。例えば、光源１１０が発する光の色温度を変更することができる。
【００２７】
点灯装置２００は、照明器具１００と別置されている。つまり、点灯装置２００は、照明器具１００内には収納されておらず、照明器具１００の外に配置されている。つまり、照明器具１００は、非電源内蔵型である。
【００２８】
本実施の形態において、点灯装置２００は、壁スイッチ４の近傍に設置されている。具体的には、点灯装置２００は、壁スイッチ４の背面側における内壁下地材と外壁下地材との間の空間領域に設置されている。つまり、点灯装置２００は壁内に隠されており、ユーザは点灯装置２００を視認することができない。点灯装置２００は、壁スイッチ４の開口部を利用して壁内に収納することができる。なお、点灯装置２００は、壁スイッチ４を施工するときに壁スイッチ４ととともに壁内に設置してもよいし、壁スイッチ４を施工後に壁スイッチ４を外して壁内に設置してもよい。
【００２９】
壁スイッチ４は、壁に設けられた照明用スイッチであり、照明器具１００の発光状態を制御する。壁スイッチ４は、例えば、照明器具１００の点灯状態と消灯状態との切り替え制御を行うためのオンオフスイッチである。これにより、ユーザが壁スイッチ４を操作することによって、照明器具１００の点灯状態と消灯状態とを切り替えることができる。なお、壁スイッチ４には、照明器具１００を調光するための調光つまみが設けられていてもよい。これにより、ユーザが調光つまみを操作することで、照明器具１００の明るさを変更することができる。
【００３０】
さらに、点灯装置２００は、照明器具１００の発光状態を制御するための電波式無線通信機能を有していてもよい。この場合、例えば、点灯装置２００は、照明器具１００の発光状態を制御するための無線信号を受信する無線通信モジュールを有する。無線通信モジュールは、無線信号を受信する無線アンテナと、無線アンテナで受信した無線信号を処理する処理回路（ＩＣ）とを有する。無線アンテナは、例えば基板に設けられたパターンアンテナである。無線アンテナで受信された無線信号は、処理回路で所定の制御信号（電気信号）に変換されて、点灯装置２００の制御回路に出力される。
【００３１】
無線通信モジュールで受信する無線信号は、例えば、無線送信機能を有する無線リモコン５から送信される。無線リモコン５は、例えば、ユーザが所持するスマートフォン等の持ち運び可能な携帯端末であってもよいが、壁等に固定されていてもよい。ユーザは、無線リモコン５を操作することで、照明器具１００の発光状態を制御することができる。例えば、ユーザが無線リモコン５を操作することで、照明器具１００の点消灯制御を行ったり調光制御を行ったりすることができる。
【００３２】
照明器具１００と点灯装置２００とは、天井２の貫通孔２ｂに挿通された電線によって接続されている。本実施の形態では、照明器具１００と点灯装置２００とは、第１電線３１０及び第２電線３２０との２本の電線によって接続されている。これにより、点灯装置２００で生成された直流電力は、第１電線３１０及び第２電線３２０を介して照明器具１００に供給される。このように、第１電線３１０及び第２電線３２０には、直流電力が流れる。このため、第１電線３１０及び第２電線３２０としては、ＶＶＦケーブルのような線径が大きく太くて曲げにくい電源ケーブルではなく、ビニル線等の線径が小さく細くて曲げやすいリード線等の直流用の電線を用いることができる。本実施の形態において、第１電線３１０及び第２電線３２０は、フラットケーブルである。
【００３３】
第１電線３１０は、照明器具１００から引き出されている。照明器具１００から引き出された第１電線３１０は、天井２の貫通孔２ｂに挿通されている。本実施の形態において、第１電線３１０は、光源１１０から引き出されており、第１電線３１０の一端部は、光源１１０に接続されている。また、第１電線３１０の他端部には第１ソケット３１１が設けられている。第１ソケット３１１は、オス型又はメス型のコネクタ端子である。
【００３４】
第２電線３２０は、点灯装置２００から引き出されている。第２電線３２０の一端部は、点灯装置２００の回路基板の出力端子に接続されている。また、第２電線３２０の他端部には、第２ソケット３２１が設けられている。第２ソケット３２１は、メス型又はオス型のコネクタ端子である。
【００３５】
照明器具１００の光源１１０と点灯装置２００とは、第１電線３１０の第１ソケット３１１及び第２電線３２０の第２ソケット３２１が連結されることで電気的に接続される。第１ソケット３１１と第２ソケット３２１とは、嵌合することで連結する構造を有している。例えば、第１ソケット３１１がオス型の構造を有する場合、第２ソケット３２１はメス型の構造を有し、逆に、第１ソケット３１１がメス型の構造を有する場合、第２ソケット３２１はオス型の構造を有する。また、本実施の形態では、第１ソケット３１１と第２ソケット３２１とは天井裏で連結されている。
【００３６】
次に、照明器具１００の具体的な構成について、図１を参照しつつ、図２〜図４を用いて説明する。図２は、実施の形態１に係る照明装置１に用いられる照明器具１００の斜視図である。図３は、同照明器具１００の分解図である。図４は、同照明器具１００の断面図である。
【００３７】
図２〜図４に示すように、照明器具１００は、光源１１０と、光源１１０を収納する器具本体１２０とを備える。本実施の形態において、照明器具１００は、さらに、器具本体１２０に収納された反射板１３０を備える。
【００３８】
上記のように、照明器具１００は、天井直付け型のダウンシーリングライトである。したがって、図１に示すように、照明器具１００全体が天井面２ａから露出している。これにより、器具本体１２０と光源１１０と反射板１３０とが、天井面２ａから床側に位置することになる。
【００３９】
光源１１０は、点灯装置２００から供給される電力によって発光する光源モジュールであり、例えば照明光として白色光を照射する。本実施の形態において、光源１１０は、ＬＥＤによって構成されたＬＥＤ光源（ＬＥＤモジュール）である。一例として、図３及び図４に示すように、光源１１０は、基板１１１と、基板１１１に配置された発光素子１１２とを有する。
【００４０】
基板１１１は、発光素子１１２を実装するための実装基板である。図示しないが、基板１１１の実装面には、金属配線が形成されている。金属配線によって、発光素子１１２に直流電力が供給される。基板１１１としては、メタルベース基板、セラミックス基板又は樹脂基板等が用いられる。なお、基板１１１は、リジッド基板であるが、フレキシブル基板であってもよい。
【００４１】
発光素子１１２は、基板１１１に複数個実装されている。なお、本実施の形態では、１２個の発光素子１１２が実装されているが、発光素子１１２の実装数は、これに限るものではなく、６個であってもよいし、１個であってもよいし、１２個以上であってもよい。
【００４２】
本実施の形態における発光素子１１２は、個々にパッケージ化された表面実装（ＳＭＤ：Ｓｕｒｆａｃｅ  Ｍｏｕｎｔ  Ｄｅｖｉｃｅ）型のＬＥＤ素子であり、容器（パッケージ）と、容器内に実装されたＬＥＤチップと、ＬＥＤチップを封止する封止部材とを有する。
【００４３】
ＬＥＤチップは、所定の直流電力により発光する半導体発光素子の一例であって、単色の可視光を発するベアチップである。ＬＥＤチップは、例えば、通電されると青色光を発する青色ＬＥＤチップである。
【００４４】
封止部材は、シリコーン樹脂等の透光性の絶縁性樹脂材料である。本実施の形態における封止部材は、ＬＥＤチップからの光の波長を変換する波長変換材として蛍光体を含む。つまり、封止部材は、透光性樹脂に蛍光体が含有された蛍光体含有樹脂であり、ＬＥＤチップからの光を所定の波長に波長変換（色変換）する。封止部材は、容器の凹部に充填されている。
【００４５】
封止部材としては、例えばＬＥＤチップが青色ＬＥＤチップである場合、白色光を得るために、ＹＡＧ（イットリウム・アルミニウム・ガーネット）系の黄色蛍光体粒子をシリコーン樹脂に分散させた蛍光体含有樹脂を用いることができる。これにより、黄色蛍光体粒子は青色ＬＥＤチップの青色光によって励起されて黄色光を放出するので、封止部材からは、黄色蛍光体粒子からの黄色光と青色ＬＥＤチップからの青色光との合成光として白色光が放出される。また、封止部材には、シリカ等の光拡散材及びフィラー等が分散されていても構わない。
【００４６】
なお、本実施の形態において、光源１１０は、ＳＭＤ型のＬＥＤ素子によって構成されたＳＭＤタイプのＬＥＤモジュールであったが、これに限らない。例えば、図５に示される光源１１０Ａのように、ＬＥＤ素子として複数のＬＥＤチップ（ベアチップ）が基板１１１上に直接実装されたＣＯＢ（Ｃｈｉｐ  Ｏｎ  Ｂｏａｒｄ）タイプのＬＥＤモジュールを用いてもよい。この場合、図５に示すように、波長変換材を含む封止部材によって全てのＬＥＤチップを一括封止してもよいが、直線状の封止部材によってＬＥＤチップをラインごとに封止してもよいし、半球状の封止部材によってＬＥＤチップを１つずつ個別に封止してもよい。
【００４７】
光源１１０を収納する器具本体１２０は、照明器具１００の外郭筐体である。つまり、照明器具１００の外形サイズは、器具本体１２０の外形サイズとなる。具体的には、器具本体１２０は、扁平で薄型の外形を有している。
【００４８】
一例として、器具本体１２０の高さは、１５ｍｍ以下である。なお、器具本体１２０の高さの下限は、特に限定されるものではないが、光源１１０の配置スペース等を考慮すると、器具本体１２０の高さは、４ｍｍ以上であるとよい。
【００４９】
また、器具本体１２０の外径は、照明器具１００の配光を考慮すると、６０ｍｍ以上１３５ｍｍ以下であるとよい。本実施の形態において、器具本体１２０の平面視形状は、円形である。したがって、器具本体１２０の外径（直径）は、φ６０ｍｍ以上φ１３５ｍｍ以下であるとよい。器具本体１２０の外径がφ１３５ｍｍを超えると、照明器具１００の高さが１５ｍｍ以下では、照明器具１００の配光が難しくなるとともに、重たい印象を与えてしまう。なお、器具本体１２０の平面視形状は、円形に限らず、矩形等でもよいが、この場合、器具本体１２０の外径は、最大外径となる。例えば、器具本体１２０の平面視形状が正方形である場合、器具本体１２０の外径は、正方形の対角線の長さとなる。
【００５０】
以上を考慮すると、本実施の形態における照明器具１００においては、図４に示すように、器具本体１２０の高さをｈとし、器具本体１２０の外径をｄとすると、４≦ｄ／ｈ≦９の関係式を満たしているとよい。
【００５１】
図３及び図４に示すように、器具本体１２０は、取付基台１２１と、透光カバー１２２と、枠体１２３とを有する。本実施の形態では、透光カバー１２２と枠体１２３とによって外郭カバーが構成されている。取付基台１２１は、この外郭カバーで覆われている。
【００５２】
取付基台１２１は、照明器具１００を天井２に取り付けるための取付部材である。取付基台１２１は、天井面２ａに直付けされている。本実施の形態において、取付基台１２１は、板状の取付板であり、取付基台１２１は、外面が天井面２ａに対面するように天井２に取り付けられる。具体的には、取付基台１２１の外面は、天井面２ａに接触することになる。
【００５３】
取付基台１２１は、例えば、鋼板又はアルミニウム板等の金属板によって構成されている。この場合、取付基台１２１は、プレス加工によって全体又は一部が所定の形状に成形されていてもよい。なお、取付基台１２１は、金属板によって構成されているものに限らず、アルミニウム等のダイカスト製であってもよい。取付基台１２１の厚さは、１ｍｍ以下であるとよい。
【００５４】
取付基台１２１には、一対の開口孔１２１ａが設けられている。一対の開口孔１２１ａは、取付基台１２１を天井２に取り付けるための取付用孔であり、一対の開口孔１２１ａには、ねじ又はボルト等の締結部材が挿通される。例えば、一対の開口孔１２１ａの各々にねじを挿通して天井２にねじをねじ込むことで、取付基台１２１を天井２に固定することができる。
【００５５】
また、取付基台１２１には、開口孔１２１ｂが設けられている。開口孔１２１ｂは、光源１１０に接続された第１電線３１０を器具本体１２０の外部に引き出すための電線用孔である。
【００５６】
透光カバー１２２は、光源１１０を覆う透光性のカバー部材である。本実施の形態において、透光カバー１２２は、光源１１０が載置された反射板１３０全体を覆っている。なお、反射板１３０と透光カバー１２２との距離は、１０ｍｍ以下にしている。
【００５７】
透光カバー１２２は、アクリル樹脂やポリカーボネート樹脂等の透光性樹脂又はガラス等の透光性材料によって構成されている。本実施の形態において、透光カバー１２２は、光拡散性（光散乱性）を有する拡散カバーである。この場合、透光カバー１２２を乳白色にすることで透光カバー１２２に光拡散性を持たせることができる。具体的には、透光カバー１２２の内部に光拡散粒子を分散させさせることで透光カバー１２２に光拡散性を持たせてもよいし、透光カバー１２２の内面又は外面に乳白色の光拡散膜を形成することによって透光カバー１２２に光拡散性を持たせてもよい。また、透光カバー１２２の表面に複数の光拡散ドット又は複数の微小凹凸（シボ）を形成することによって透光カバー１２２に光拡散性を持たせてもよい。なお、透光カバー１２２は、拡散カバーに限らず、透明な透明カバーであってもよい。
【００５８】
透光カバー１２２は、厚さが一定の透光パネルである。透光カバー１２２の厚さは、２ｍｍ以下であるとよい。また、本実施の形態において、透光カバー１２２は、下方に向かって中央部が僅かに突出するように湾曲状に構成されているが、これに限るものではない。例えば、透光カバー１２２は、平板状に構成されていてもよい。また、透光カバー１２２の平面視形状は、円形であるが、これに限るものではない。このように構成される透光カバー１２２は、枠体１２３の床側の開口を塞ぐように枠体１２３に取り付けられている。
【００５９】
枠体１２３は、筒状の枠部材である。本実施の形態において、枠体１２３は、扁平円筒状である。枠体１２３は、例えば、樹脂材料によって構成されているが、これに限るものではなく、金属材料によって構成されていてもよい。
【００６０】
反射板１３０は、光源１１０が発する光を反射する反射部材である。反射板１３０は、取付基台１２１と透光カバー１２２との間に配置されている。反射板１３０は、例えば金属材料によって構成されているが、樹脂材料によって構成されていてもよい。本実施の形態において、反射板１３０は、鋼板又はアルミニウム板等の金属板をプレス加工することによって形成されている。反射板１３０の厚さは、２ｍｍ以下であるとよい。なお、反射板１３０の表面には、白色塗装膜又は金属膜が形成されていてもよい。
【００６１】
本実施の形態において、反射板１３０は、光源１１０を支持する光源支持基台である。光源１１０を反射板１３０に配置することで、光源１１０で発生する熱を反射板１３０に放熱させることができる。つまり、反射板１３０は、光源１１０のヒートシンクとして機能する。
【００６２】
具体的には、反射板１３０は、光源１１０が載置される載置部１３１と、載置部１３１を囲み且つ載置部１３１に対して傾斜する傾斜部１３２と、取付基台１２１に支持される支持部１３３とを有する。
【００６３】
載置部１３１は、透光カバー１２２の中央部に対向する位置に設けられている。したがって、載置部１３１に載置される光源１１０は、透光カバー１２２の中央部に対向する位置に配置される。本実施の形態において、載置部１３１は、平面円形状である。載置部１３１の表面は、光源１１０が載置される載置面である。載置部１３１に載置された光源１１０は、透光カバー１２２と反射板１３０の載置部１３１との間に位置することになる。載置部１３１に載置された光源１１０は、例えばホルダ又は接着材によって載置部１３１に固定される。また、光源１１０と載置部１３１との間には、熱伝導シートが挿入されていてもよい。
【００６４】
傾斜部１３２は、扁平なすり鉢状であり、光源１１０から離れるにつれて開口径が漸次大きくなるように構成されている。傾斜部１３２の表面は、光源１１０から出射した光を反射する反射面である。傾斜部１３２は、透光カバー１２２の中央部の外側の領域である周辺部に対向する位置に配置されている。これにより、光源１１０が透光カバー１２２の中央部に対向する位置に配置されていても、傾斜部１３２によって光源１１０から出射した光を透光カバー１２２の周辺部に反射させることができるので、光源１１０から出射した光を透光カバー１２２の全域に行き渡らせることができる。したがって、透光カバー１２２の全面を面発光させることができる。
【００６５】
支持部１３３は、傾斜部１３２の周縁部に設けられている。支持部１３３を設けることで、傾斜部１３２と取付基台１２１との間に第１電線３１０を引き回したり収納したりするスペースを設けることができる。本実施の形態において、支持部１３３は、扁平な円筒形状であり、傾斜部１３２の全周に設けられているが、傾斜部１３２の一部に部分的に設けられていてもよい。
【００６６】
また、支持部１３３は、反射板１３０を取付基台１２１に接続して固定するための固定部でもある。支持部１３３が取付基台１２１に固定されることで、反射板１３０を取付基台１２１に固定することができる。支持部１３３と取付基台１２１とは、例えばねじ又は掛止構造等によって固定することができる。
【００６７】
反射板１３０には、第１電線３１０を通すための貫通孔１３０ａが設けられている。図４に示すように、光源１１０の基板１１１に接続された第１電線３１０は、貫通孔１３０ａを介して反射板１３０と取付基台１２１との間の空間領域に引き出されて、取付基台１２１の開口孔１２１ｂから取付基台１２１の外部に引き出される。
【００６８】
本実施の形態において、貫通孔１３０ａは、開口孔１２１ｂと対向する位置に設けられていない。これにより、第１電線３１０の張力止めを行うことができる。なお、貫通孔１３０ａは、開口孔１２１ｂと対向する位置に設けられていてもよい。これにより、器具本体１２０内に第１電線３１０が無駄に引き回されてしまうことを抑制できる。つまり、第１電線３１０の器具本体１２０内に存在する部分を極力少なくすることができる。
【００６９】
このように構成される照明器具１００を天井２に設置する場合、まず、ねじ等によって取付基台１２１を天井２に固定する。次に、光源１１０が載置された反射板１３０を取付基台１２１に固定する。このとき、反射板１３０と取付基台１２１とをねじによって固定してもよいが、取付基台１２１に一対の板バネ構造を設けておくとともに反射板１３０の側面にその板バネ構造を係止する凹部を設けておくことで、反射板１３０と取付基台１２１とを掛係構造によって固定してもよい。その後、透光カバー１２２と枠体１２３で構成される外郭カバーを反射板１３０又は取付基台１２１に固定する。
【００７０】
また、図６に示すように、照明装置１は、複数の照明器具１００を有していてもよい。複数の照明器具１００の各々は、図１に示される照明器具１００と同様に、天井２の天井面２ａに直付けされている。各照明器具１００は、構成が互いに同じであり、同じものを用いることができる。つまり、各照明器具１００は、光源１１０と器具本体１２０と反射板１３０とを有する。
【００７１】
複数の照明器具１００は、発光状態が同時に制御される。例えば、ユーザが壁スイッチ４又は無線リモコン５を操作することで、複数の照明器具１００の点消灯制御又は調光制御を同時に行うことができる。
【００７２】
本実施の形態において、点灯装置２００は、照明器具１００の数にあわせて複数配置されている。つまり、複数の照明器具１００と複数の点灯装置２００とは、一対一に対応しており、照明器具１００と点灯装置２００とは同数設置されている。図６では、３つの照明器具１００と３つの点灯装置２００とが設置されている。各点灯装置２００は、構成が互いに同じであり、同じものを用いることができる。
【００７３】
複数の照明器具１００は、明かりが必要とされる任意の個所に設置される。例えば、複数の照明器具１００は所定の間隔をあけて設置される。一方、複数の点灯装置２００は、全て一箇所にまとめて設置される。具体的には、複数の点灯装置２００は、壁スイッチ４の近傍に隣接して設置される。
【００７４】
複数の照明器具１００の各々と複数の点灯装置２００の各々とは、電線によって接続されている。具体的には、対応関係にある照明器具１００と点灯装置２００とは、図１と同様に、第１電線３１０及び第２電線３２０によって接続されている。
【００７５】
また、複数の点灯装置２００同士は、第３電線３３０によって接続されている。具体的には、図７に示すように、隣り合う２つの点灯装置２００は、第３電線３３０によって連結されている。第３電線３３０は、隣り合う２つの点灯装置２００のうちの一方から他方に交流電力を送るための交流用の送り配線である。つまり、隣り合う２つの点灯装置２００において、一方の点灯装置２００が受電した交流電力は、第３電線３３０を介して他方の点灯装置２００に供給される。一例として、商用電源３からの交流電力は、第３電線３３０を介して、隣りの点灯装置２００に順次供給される。なお、第３電線３３０は、フラットケーブルであるが、これに限るものではない。
【００７６】
また、各点灯装置２００は、電源端子台２１０を有する。電源端子台２１０には、交流電力が流れる電線（電源ケーブル４００、第３電線３３０）が差し込まれる。各点灯装置２００では、電源端子台２１０に差し込まれた電線を介して交流電力を受電する。電源端子台２１０で受電した交流電力は、筐体２２０に収納された電源回路に供給される。
【００７７】
電源端子台２１０は、交流電力が入力される一対の第１端子部２１１と、入力された交流電力を出力する一対の第２端子部２１２とを有する。本実施の形態において、電源端子台２１０は、一部が筐体２２０から露出した状態で筐体２２０に組み込まれており、その露出部分に第１端子部２１１と第２端子部２１２が設けられている。
【００７８】
複数の点灯装置２００のうち１つの点灯装置２００（図７で左側の点灯装置２００）については、電源端子台２１０の第１端子部２１１に電源ケーブル４００が差し込まれ、第２端子部２１２に第３電線３３０の一方端が差し込まれる。また、この第３電線３３０の他方端は、別の点灯装置２００（図７で真ん中の点灯装置２００）の電源端子台２１０の第１端子部２１１に差し込まれる。
【００７９】
残りの点灯装置２００について、同様にして第３電線３３０によって順次連結される。具体的には、隣り合う２つの点灯装置２００の一方の点灯装置２００の電源端子台２１０の第１端子部２１１には、第３電線３３０の一方端が差し込まれ、他方の点灯装置２００の電源端子台２１０の第２端子部２１２には、その第３電線３３０の他方端が差し込まれる。
【００８０】
次に、本実施の形態に係る照明装置１の作用効果について、本発明に至った経緯も含めて説明する。
【００８１】
近年、照明器具の小型化及び薄型化が要望されているが、従来の天井直付け型のシーリングライトは、電源端子台及び点灯装置を内蔵しているので、電源端子台及び点灯装置の収納スペースを考慮すると、器具本体を小型化及び薄型化することが難しい。
【００８２】
しかも、電源端子台に接続されるＶＶＦケーブル等の電源ケーブルは、比較的に太くて曲がりにくいので、電源端子台及び点灯装置を収納する器具本体を小さくすると、器具本体内における電源ケーブルの収納スペースが狭くなってしまう。このため、照明器具の施工時に電源ケーブルが器具本体内で窮屈に曲げられて引き回される。この結果、天井面に設置する取付板が電源ケーブルの曲げ反力によって天井から浮いてしまい、施工時に天井と取付板との間に隙間が発生することもある。
【００８３】
また、図８に示すように、天井２に設置された複数の照明器具１１００の発光状態を同時に制御する場合、従来は、隣り合う２つの照明器具１１００において各照明器具１１００内に収納された点灯装置１２００（電源端子台）同士を送り配線用の電源ケーブル１３３０によって接続している。つまり、電源ケーブル１３３０によって、商用電源３からの交流電力を隣りの照明器具１１００に順次送っている。このため、電線ケーブル４００に加えて送り配線用の電源ケーブル１３３０が器具本体内に引き回されることになる。この結果、照明器具１１００の器具本体内のスペースがさらに狭くなるとともに取付板が天井から浮きやすくなる。
【００８４】
そこで、電源端子台及び点灯装置を内蔵しない天井直付け型のシーリングライトが検討されている。これにより、器具本体の薄型化及び小型化を容易に図ることができる。
【００８５】
しかしながら、天井直付け型のダウンシーリングライトは、器具本体が天井に埋め込まれた天井埋め込み型のダウンライトとは異なり、器具本体の前面部及び側面部がユーザから見える状態で器具本体が天井面に設置されるので、ユーザに存在感を感じさせてしまう。
【００８６】
このため、単純に器具本体を薄くしたとしても、器具本体の存在感があまり軽減せずに、ユーザに与える重たい印象が残ってしまう。特に、電源端子台及び点灯装置を内蔵する従来の天井直付け型のダウンシーリングライトは、厚みが厚い（高さが高い）ので見栄えが悪く、ユーザにかなり重たい印象を与える。
【００８７】
しかも、器具本体の小型化及び薄型化だけを考えて無闇に器具本体を小さくしたり薄くしたりするだけでは、シーリングライトとして所望の明るさ及び所望の配光を有する照明光を得ることができなくなってしまう。
【００８８】
そこで、本願発明者らが鋭意検討した結果、点灯装置を照明器具と別置きにした上で、さらに、照明器具の器具本体における高さと外径との比（外径／高さ）を適切な範囲に設定することで、器具本体の薄型化を図りつつ、器具本体の存在感による重たい印象を軽減し、かつ、シーリングライトとして所望の明るさ及び所望の配光の照明光を得ることができることを見出した。
【００８９】
具体的には、本実施の形態における照明装置１は、光源１１０を有する照明器具１００と、光源１１０の発光状態を制御する点灯装置２００とを分離して別置きにしている。これにより、照明装置１の中で占有面積が大きい点灯装置２００が照明器具１００と分離して配置されるので、光源１１０を収納する器具本体１２０を容易に薄型化することができる。
【００９０】
そして、本実施の形態における照明器具１００では、図４に示すように、器具本体１２０における高さ（ｈ）と外径（ｄ）とを、４≦ｄ／ｈ≦９の関係式を満たすように構成されている。これにより、器具本体の存在感による重たい印象を軽減しつつ、シーリングライトとして所望の明るさ及び所望の配光の照明光を得ることができる照明器具１００を実現することができる。
【００９１】
この場合、器具本体１２０の高さｈは、１５ｍｍ以下であるとよい。このように、器具本体１２０の高さｈを１５ｍｍ以下にすることによって、器具本体の存在感による重たい印象を一層軽減して、すっきりとした印象を与えることができる薄型かつ小型の照明器具１００を実現することができる。
【００９２】
以上、本実施の形態に係る照明装置１によれば、器具本体１２０の薄型化を図りつつ、器具本体１２０の存在感による重たい印象を軽減し、かつ、シーリングライトとして所望の明るさ及び所望の配光を有する照明光を得ることができる照明器具１００を実現することができる。
【００９３】
また、本実施の形態における照明器具１００は、さらに、光源１１０が発する光を反射する反射板１３０を備えている。そして、反射板１３０は、光源１１０が載置される載置部１３１と、載置部１３１を囲み且つ載置部１３１に対して傾斜する傾斜部１３２とを有する。
【００９４】
この構成により、薄型で扁平な形の器具本体１２０であっても、透光カバー１２２の全面を容易に面発光させることができる。これにより、薄型の器具本体１２０でありながらも、シーリングライトとして所望の明るさ及び所望の配光を容易に実現することができる。
【００９５】
この場合、反射板１３０と透光カバー１２２との距離は、１０ｍｍ以下であるとよい。また、反射板１３０の厚さは、２ｍｍ以下であり、取付基台１２１の厚さは、１ｍｍ以下であり、透光カバー１２２の厚さは、２ｍｍ以下である。
【００９６】
この構成により、反射板１３０を用いた場合であっても、高さｈが１５ｍｍ以下の薄型で小型の器具本体１２０を容易に実現することができる。
【００９７】
また、本実施の形態において、光源１１０と点灯装置２００とは、第１ソケット３１１と第２ソケット３２１とが連結されることで電気的に接続されている。具体的には、第１ソケット３１１は、光源１１０から引き出された直流用の第１電線３１０に設けられている。
【００９８】
この構成により、光源１１０と点灯装置２００との結線（つまり第１ソケット３１１と第２ソケット３２１との連結）を器具本体１２０の外で行うことができる。これにより、照明器具１００の施工を容易に行うことができる。
【００９９】
また、本実施の形態において、第１電線３１０は、フラットケーブルである。また、天井２には、第１電線３１０が挿通する貫通孔２ｂが設けられている。
【０１００】
この構成により、天井２の貫通孔２ｂの開口径を小さくすることができるので、天井２と照明器具１００との間の気密性を向上させることができる。また、この構成により、第１ソケット３１１と第２ソケット３２１との連結作業を天井裏で行うことができる。
【０１０１】
また、本実施の形態において、第２ソケット３２１は、点灯装置２００から引き出された直流用の第２電線３２０に設けられている。
【０１０２】
この構成により、光源１１０から引き出された第１電線３１０と点灯装置２００から引き出された第２電線３２０との結線作業を容易に行うことができる。これにより、照明装置１の施工を容易に行うことができる。
【０１０３】
なお、第２ソケット３２１は、点灯装置２００の回路基板に実装されていてもよい。この場合、第２電線３２０を用いることなく、光源１１０から引き出された第１電線３１０の第１ソケット３１１を、点灯装置２００の回路基板に実装された第２ソケット３２１にダイレクトに差し込むことができる。
【０１０４】
また、本実施の形態における照明装置１は、照明器具１００と点灯装置２００とによって構成されている。そして、点灯装置２００は、上記のように、照明器具１００と別置されている。
【０１０５】
これにより、器具本体１２０の薄型化を図りつつ、器具本体１２０の存在感による重たい印象を軽減し、かつ、シーリングライトとして所望の明るさ及び所望の配光を有する照明光を得ることができる照明装置１を実現することができる。
【０１０６】
また、本実施の形態において、点灯装置２００は、位相制御式の調光制御機能を有する。
【０１０７】
これにより、照明装置１に調光機能を持たせつつ、薄型の照明器具１００を実現することができる。
【０１０８】
また、本実施の形態において、点灯装置２００は、照明器具１００の発光状態を制御するための電波式無線通信機能を有する。
【０１０９】
これにより、電波式無線通信によって、照明器具１００の発光状態を制御することができる。例えば、ユーザが所持する携帯端末からの無線信号を点灯装置２００で受信することで、照明器具１００の点消灯制御を行ったり調光制御を行ったりすることができる。
【０１１０】
また、本実施の形態において、点灯装置２００は、照明器具１００の発光状態を制御する壁スイッチ４の近傍に設置されている。具体的には、点灯装置２００は、壁スイッチ４に隣接して取り付けられる。
【０１１１】
この構成により、壁スイッチ４を設置するために設けられた壁の開口部から点灯装置２００を壁内に挿入することができるので、点灯装置２００の施工を容易に行うことができる。この場合、点灯装置２００の外形サイズは、壁スイッチ４が設置された壁の開口部を挿通することができる大きさであるとよい。
【０１１２】
しかも、壁スイッチ４の近傍では無線信号（電波）を遮蔽する障害物が少なく無線信号が阻害されにくいので、点灯装置２００が電波式無線通信機能を有している場合、点灯装置２００を壁スイッチ４の近傍に設置することで、ユーザの携帯端末等から無線信号を高感度で受信することができる。
【０１１３】
また、図６に示すように、照明器具１００を複数配置する場合は、点灯装置２００も複数配置する。この場合、複数の照明器具１００と複数の点灯装置２００とは、一対一に対応しており、複数の照明器具１００の各々と複数の点灯装置２００の各々とは、電線によって接続されている。
【０１１４】
この構成により、各点灯装置２００から各照明器具１００に接続することができる。また、商用電源３からの照明器具１００への結線の数を減らすことができる。これにより、照明装置１の施工を一層容易に行うことができる。
【０１１５】
また、図７に示すように、本実施の形態において、複数の点灯装置２００の各々は、電源端子台２１０を有している。そして、電源端子台２１０は、交流電力が入力される一対の第１端子部２１１と、入力された交流電力を出力する一対の第２端子部２１２とを有する。
【０１１６】
この構成により、各点灯装置２００の電源端子台２１０同士を第３電線３３０によって接続することで、複数の点灯装置２００に対して交流電力を順次送ることができる。
【０１１７】
また、本実施の形態において、複数の点灯装置２００は、壁スイッチ４の付近にまとめて配置されている。
【０１１８】
この構成により、複数の点灯装置２００同士を接続する第３電線３３０の結線作業を容易に行うことができる。
【０１１９】
なお、図４に示される照明器具１００では、反射板１３０の貫通孔１３０ａを傾斜部１３２に設けていたが、これに限らない。例えば、図９に示される照明器具１０１のように、反射板１３０の貫通孔１３０ａを載置部１３１に設けてもよい。これにより、光源１１０から引き出された第１電線３１０を載置部１３１の貫通孔１３０ａを介して反射板１３０の裏側に引き出すことができる。これにより、第１電線３１０の影によって照明器具１００の配光特性が劣化することを抑制できる。つまり、図４に示される照明器具１００の構成では、反射板１３０の傾斜部１３２に第１電線３１０が存在しているので、第１電線３１０の影によって照明器具１００の配光特性が劣化するおそれがあるが、図９に示される照明器具１０１では、傾斜部１３２に第１電線３１０が存在していないので、第１電線３１０の影によって照明器具１００の配光特性が劣化することを抑制できる。この場合、器具本体１２０内での第１電線３１０の引き回し分を極力少なくするために、図９に示すように、取付基台１２１の開口孔１２１ｂは、貫通孔１３０ａと対向する位置に設けられているとよい。
【０１２０】
また、図４に示される照明器具１００では、反射板１３０の載置部１３１と取付基台１２１との間に隙間が存在していたが、図１０に示される照明器具１０２のように、反射板１３０の載置部１３１を取付基台１２１に接触させて、載置部１３１と取付基台１２１との隙間を無くしてもよい。具体的には、図１０では、反射板１３０の載置部１３１の天井側の面と取付基台１２１の床側の面とを面接触させている。この構成により、器具本体１２０の厚みを一層薄くすることができるとともに、光源１１０で発生する熱を載置部１３１を介して取付基台１２１に効率良く伝導させて放熱させることができる。
【０１２１】
（実施の形態２）
次に、実施の形態２に係る照明装置について、図１１を用いて説明する。図１１は、実施の形態２に係る照明装置に用いられる照明器具１００Ａの断面図である。
【０１２２】
本実施の形態に係る照明装置は、上記実施の形態１に係る照明装置１に対して、照明器具の構成が異なり、それ以外の構成（点灯装置２００等）は、上記実施の形態１と同様である。
【０１２３】
図１１に示すように、本実施の形態で用いられる照明器具１００Ａは、導光方式のシーリングライトであり、上記実施の形態における照明器具１００において、反射板１３０に代えて、光源１１０から発する光を導光する導光板１４０を用いた構成となっている。
【０１２４】
導光板１４０は、透光カバー１２２に対向して配置されている。導光板１４０は、例えば、アクリル樹脂又はポリカーボネート樹脂等の透光性樹脂材料又はガラス材料からなる。導光板１４０の平面視形状は、例えば透光カバー１２２と同様に、円形である。
【０１２５】
また、図１１において、光源１１０は、導光板１４０の主面側に光を入射させるように配置されている。具体的には、光源１１０は、取付基台１２１に配置されており、導光板１４０の主面に対向している。
【０１２６】
以上、本実施の形態における照明器具１００Ａでも、上記実施の形態１と同様の効果を奏する。すなわち、器具本体１２０の薄型化を図りつつ、器具本体１２０の存在感による重たい印象を軽減し、かつ、シーリングライトとして所望の明るさ及び所望の配光の照明光を得ることができる。
【０１２７】
しかも、本実施の形態では、導光板１４０を用いた導光方式を採用している。これにより、取付基台１２１と透光カバー１２２との距離を短くして光源１１０と透光カバー１２２との距離が短くなってとしても、導光板１４０によって透光カバー１２２の全面に導光板１４０からの光を入射させることができる。これにより、高さが１５ｍｍ以下の薄型の器具本体１２０にしつつ、シーリングライトとして所望の明るさ及び所望の配光の照明光を容易に得ることができる。
【０１２８】
なお、図１１は、縦型の導光方式による照明器具１００Ａであったが、これに限らない。例えば、図１２に示すように、横型の導光方式による照明器具１０１Ａであってもよい。この場合、光源１１０は、導光板１４０の側面（端面）に光を入射させるように配置される。つまり、光源１１０と導光板１４０とはエッジライト構造となっている。この場合、光源１１０は、枠体１２３に取り付けることができる。
【０１２９】
（実施の形態３）
次に、実施の形態３に係る照明装置について、図１３及び図１４用いて説明する。図１３は、実施の形態３に係る照明装置に用いられる照明器具１００Ｂの断面図である。図１４は、同照明器具１００Ｂに用いられる光源１１０Ｂの平面図である。
【０１３０】
本実施の形態に係る照明装置は、上記実施の形態１に係る照明装置に対して、照明器具の構成が異なり、それ以外の構成（点灯装置２００等）は、上記実施の形態１と同様である。
【０１３１】
図１３に示すように、本実施の形態で用いられる照明器具１００Ｂは、多粒光源方式のシーリングライトであり、上記実施の形態における照明器具１００において、発光素子１１２の実装数を多くした光源１１０Ｂを用いた構成となっている。なお、本実施の形態でも、上記実施の形態２と同様に、反射板１３０を用いていない。
【０１３２】
図１４に示すように、本実施の形態における光源１１０Ｂは、上記実施の形態１における光源１１０と同様に、基板１１１と、基板１１１に実装された複数の発光素子１１２とを有する。ただし、本実施の形態では、複数の発光素子１１２が、透光カバー１２２の全体にわたって分布するように、透光カバー１２２に対向して配置されている。具体的には、透光カバー１２２の全面に光源１１０の光が入射するように、透光カバー１２２の全体にわたって１７個の発光素子１１２を分布させて配置している。
【０１３３】
以上、本実施の形態における照明器具１００Ｂでも、上記実施の形態１と同様の効果を奏する。すなわち、器具本体１２０の薄型化を図りつつ、器具本体１２０の存在感による重たい印象を軽減し、かつ、シーリングライトとして所望の明るさ及び所望の配光の照明光を得ることができる。
【０１３４】
しかも、本実施の形態では、多粒光源方式を採用している。これにより、薄型化した際の光ムラ等によって配光特性が劣化することを抑制できる。つまり、上記実施の形態１では、透光カバー１２２の中央部にのみ光源１１０（発光素子１１２）が存在しているので、配光特性を考慮すると、反射板１３０と透光カバー１２２との距離を短くすることが難しいという制約があったが、本実施の形態のように、透光カバー１２２の全体にわたって複数の発光素子１１２を分布させることで、透光カバー１２２全体を少ない明暗差で面発光させることができる。これにより、高さが１５ｍｍ以下の薄型の器具本体１２０にしつつ、シーリングライトとして所望の明るさ及び所望の配光の照明光を容易に得ることができる。
【０１３５】
なお、図１４に示すように、本実施の形態における光源１１０Ｂでは、複数の発光素子１１２のうち最外周に位置する発光素子１１２を矩形状に配列したが、これに限らない。例えば、図１５に示される光源１１０Ｂ’のように、複数の発光素子１１２（例えば１８個）を同心円状の複数列で配列してもよい。
【０１３６】
（変形例）
以上、本発明に係る照明器具及び照明装置等について、実施の形態に基づいて説明したが、本発明は、上記実施の形態に限定されるものではない。
【０１３７】
例えば、上記実施の形態において、第１電線３１０と第２電線３２０とは、天井裏で引き回されて天井裏で連結されていたが、これに限らない。例えば、第１電線３１０と第２電線３２０とは、部屋内に存在していてもよい。この場合、第１電線３１０及び第２電線３２０は、壁スイッチ４付近から壁面に露出させて壁面及び天井面を伝って引き回されていてもよい。
【０１３８】
また、上記実施の形態において、照明器具１００と点灯装置２００とは、規格化されたＡＣアダプタのプラグで接続されていてもよい。
【０１３９】
また、上記実施の形態において、照明器具１００にはスピーカが内蔵されていてもよい。この場合、スピーカの電源回路は、光源１１０の電源回路とともに、点灯装置２００に収納されていてもよい。また、スピーカに流す音源（音楽コンテンツ等）の無線信号を受信する無線アンテナも点灯装置２００に収納されていてもよい。これにより、点灯装置２００を壁スイッチ４の近傍に配置することで、音源の無線信号をユーザが所持する携帯端末から高感度で受信することができる。
【０１４０】
また、上記実施の形態において、発光素子１１２としてＬＥＤを用いたが、これに限らない。例えば、発光素子１１２として、半導体レーザ等の半導体発光素子又は有機ＥＬ（Ｅｌｅｃｔｒｏ  Ｌｕｍｉｎｅｓｃｅｎｃｅ）等を用いてもよい。
【０１４１】
その他、上記実施の形態に対して当業者が思いつく各種変形を施して得られる形態や、本発明の趣旨を逸脱しない範囲で上記実施の形態における構成要素及び機能を任意に組み合わせることで実現される形態も本発明に含まれる。
【符号の説明】
【０１４２】
１  照明装置
２  天井
２ａ  天井面
４  壁スイッチ
１００、１０１、１０２、１００Ａ、１０１Ａ、１００Ｂ  照明器具
１１０、１１０Ａ、１１０Ｂ、１１０Ｂ’  光源
１２０  器具本体
１２１  取付基台
１２２  透光カバー
１３０  反射板
１３１  載置部
１３２  傾斜部
１４０  導光板
２００  点灯装置
２１０  電源端子台
２１１  第１端子部
２１２  第２端子部
３１０  第１電線
３１１  第１ソケット
３２０  第２電線
３２１  第２ソケット
【図１】
2019091568.tif 000003
【図２】
2019091568.tif 000004
【図３】
2019091568.tif 000005
【図４】
2019091568.tif 000006
【図５】
2019091568.tif 000007
【図６】
2019091568.tif 000008
【図７】
2019091568.tif 000009
【図８】
2019091568.tif 000010
【図９】
2019091568.tif 000011
【図１０】
2019091568.tif 000012
【図１１】
2019091568.tif 000013
【図１２】
2019091568.tif 000014
【図１３】
2019091568.tif 000015
【図１４】
2019091568.tif 000016
【図１５】
2019091568.tif 000017